(57)【要約】【課題】  内線電話機で複数のダイヤルイン番号に対応する必要がある場合においても、ボタンの数を増加させず、内線電話機の大型化を防止すると共に、内線電話機利用者の操作性を低下させないようにする。【解決手段】  ボタン電話主装置１０の中央制御部１１に、第１のダイヤルイン番号対応機能ボタンの表示手段に第１のダイヤルイン着信の状態を表示させる制御手段Ｆ４４を備え、第２のダイヤルイン着信の状態を第１のダイヤルイン番号対応機能ボタンのうち予め設定した１以上の第２のダイヤルイン番号対応機能ボタンの表示手段に表示させる表示制御手段Ｆ４５とを備え、表示制御手段Ｆ４５は第１のダイヤルイン着信の状態とは異なる色で識別表示する。【選択図】  図２
2006081133.tif 000002
【特許請求の範囲】
【請求項１】
１以上の外線および１以上の内線を有する構内交換機と、前記内線に接続される内線電話機とからなる構内電話装置におけるダイヤルイン着信方法であって、
前記内線電話機に複数の機能ボタンを備え、前記機能ボタンに第１のダイヤルイン番号対応機能ボタンを複数設定し、前記構内交換機に同一の番号情報を伴う第１のダイヤルイン着信が同時に複数存在しているときに第１のダイヤルイン着信の各々を当該番号情報に対応した複数の第１のダイヤルイン番号対応機能ボタン各々に対応させ、当該第１のダイヤルイン着信の状態を当該第１のダイヤルイン番号対応機能ボタンの表示手段に表示させる処理を有し、
前記構内交換機に前記第１のダイヤルイン着信とは異なる番号情報を伴う第２のダイヤルイン着信が存在しているときに第２のダイヤルイン着信を前記複数の第１のダイヤルイン番号対応機能ボタンのうち予め設定した１以上の第２のダイヤルイン番号対応機能ボタンに対応させ、当該第２のダイヤルイン着信の状態を当該第２のダイヤルイン番号対応機能ボタンの表示手段に表示させる表示制御処理を有することを特徴とするダイヤルイン着信方法。
【請求項２】
請求項１記載のダイヤルイン着信方法において、
前記表示制御処理は、前記第１のダイヤルイン着信の表示と前記第２のダイヤルイン着信の表示を識別表示させる表示制御処理であることを特徴とするダイヤルイン着信方法。
【請求項３】
請求項２記載のダイヤルイン着信方法において、
前記識別表示させる表示制御処理は、色により識別表示させる表示制御処理であることを特徴とするダイヤルイン着信方法。
【請求項４】
１以上の外線および１以上の内線を有するボタン電話主装置と、前記内線に接続されるボタン電話機とからなるボタン電話装置において、
前記ボタン電話機に複数の機能ボタンを備え、前記機能ボタンに第１のダイヤルイン番号対応機能ボタンを複数設定し、前記ボタン電話主装置に同一の番号情報を伴う第１のダイヤルイン着信が同時に複数存在しているときに第１のダイヤルイン着信の各々を当該番号情報に対応した複数の第１のダイヤルイン番号対応機能ボタン各々に対応させ、当該第１のダイヤルイン着信の状態を当該第１のダイヤルイン番号対応機能ボタンの表示手段に表示させる制御手段を備え、
前記ボタン電話主装置に前記第１のダイヤルイン着信とは異なる番号情報を伴う第２のダイヤルイン着信が存在しているときに第２のダイヤルイン着信を前記複数の第１のダイヤルイン番号対応機能ボタンのうち予め設定した１以上の第２のダイヤルイン番号対応機能ボタンに対応させ、当該第２のダイヤルイン着信の状態を当該第２のダイヤルイン番号対応機能ボタンの表示手段に表示させる表示制御手段を備えたことを特徴とするボタン電話装置。
【請求項５】
請求項４記載のボタン電話装置において、
前記表示制御手段は、前記第１のダイヤルイン着信の表示と前記第２のダイヤルイン着信の表示を識別表示させる表示制御手段であることを特徴とするボタン電話装置。
【請求項６】
請求項５記載のボタン電話装置において、
前記識別表示させる表示制御手段は、色により識別表示させる表示制御手段であることを特徴とするボタン電話装置。
【発明の詳細な説明】
【技術分野】
【０００１】  本発明は、構内電話設備におけるダイヤルイン回線のダイヤルイン着信方法およびボタン電話装置に関する。
【背景技術】
【０００２】  構内電話設備（構内交換機と内線電話機と外線からなる構内電話装置、ボタン電話主装置とボタン電話機と外線からなるボタン電話装置、およびＩＰ電話用サーバー、ＩＰ電話用ゲートウェイまたはＩＰ電話用主装置とＩＰ電話機と外線からなるＩＰ電話装置等をいう。以下同じ。）の外線にダイヤルイン回線（外線から直接希望の内線を呼び出すことのできる、いわゆるダイヤルイン機能を備えた回線をいう。以下同じ。）を接続した場合において、ダイヤルイン番号に対応する１台の内線電話機（上述した構内交換装置の内線電話機、ボタン電話装置のボタン電話機、およびＩＰ電話装置のＩＰ電話機等をいう。以下同じ。）に着信し、その着信に対して当該内線電話機で応答後その通話を終話するか転送操作等を行い、当該内線電話機が空き状態にならない限り、同一ダイヤルイン番号を受信しても着信を受け付けることができないという問題があった。【０００３】  この問題を解決し、構内電話装置で、いわゆるボタン電話装置的な運用を行うため、１台の内線電話機に同一の番号情報に対応したダイヤルイン番号対応機能ボタンを複数設定し、構内交換機に同一の番号情報を伴うダイヤルイン着信が同時に複数存在しているときに、それらのダイヤルイン着信の各々を、当該番号情報に対応した複数のダイヤルイン番号対応機能ボタンの各々に対応させ、それらのダイヤルイン着信の状態を、それらのダイヤルイン番号対応ボタンの表示手段に表示させることが開示されている（例えば、特許文献１参照）。【０００４】  しかし、１台の内線電話機に同一の番号情報に対応したダイヤルイン番号対応機能ボタンを複数設定することは、当該内線電話機で複数のダイヤルイン番号に対応する必要がある場合、「複数のダイヤルイン番号対応機能ボタン×ダイヤルイン番号」と掛け算的に機能ボタンの数が増加し、内線電話機の大型化および機能ボタン数の増加に伴う利用者の操作性低下の問題が発生していた。
【特許文献１】特開平８−２５１６３８号公報
【発明の開示】
【発明が解決しようとする課題】
【０００５】  解決しようとする問題点は、内線電話機で複数のダイヤルイン番号に対応する必要がある場合においても、「複数のダイヤルイン番号対応機能ボタン×ダイヤルイン番号」と掛け算的に機能ボタンの数を増加させず、内線電話機の大型化を防止すると共に、内線電話機利用者の操作性を低下させないダイヤルイン着信方法およびボタン電話装置を提供することである。
【課題を解決するための手段】
【０００６】  上記課題を解決するために、本発明は、１以上の外線および１以上の内線を有するボタン電話主装置と、前記内線に接続されるボタン電話機とからなるボタン電話装置において、前記ボタン電話機に複数の機能ボタンを備え、前記機能ボタンに第１のダイヤルイン番号対応機能ボタンを複数設定し、前記ボタン電話主装置に同一の番号情報を伴う第１のダイヤルイン着信が同時に複数存在しているときに第１のダイヤルイン着信の各々を当該番号情報に対応した複数の第１のダイヤルイン番号対応機能ボタン各々に対応させ、当該第１のダイヤルイン着信の状態を当該第１のダイヤルイン番号対応機能ボタンの表示手段に表示させる制御手段を備え、前記ボタン電話主装置に前記第１のダイヤルイン着信とは異なる番号情報を伴う第２のダイヤルイン着信が存在しているときに第２のダイヤルイン着信を前記複数の第１のダイヤルイン番号対応機能ボタンのうち予め設定した１以上の第２のダイヤルイン番号対応機能ボタンに対応させ、当該第２のダイヤルイン着信の状態を当該第２のダイヤルイン番号対応機能ボタンの表示手段に表示させる表示制御手段を備えた。【０００７】  また、本発明は、前記表示制御手段は、前記第１のダイヤルイン着信の表示と前記第２のダイヤルイン着信の表示を識別表示させる表示制御手段である。【０００８】  さらに、本発明は、前記識別表示させる表示制御手段は、色により識別表示させる表示制御手段である。
【発明の効果】
【０００９】  本発明によれば、複数のダイヤルイン番号対応ボタンの表示手段のうち予め設定した一部に、番号情報の異なるダイヤルイン着信を表示することができるため、「複数のダイヤルイン番号対応機能ボタン×ダイヤルイン番号」のように掛け算的に機能ボタンを増加させる必要がなく、内線電話機の大型化を防止することができる。また、番号情報の異なるダイヤルイン着信を同時に表示するに際し、第１のダイヤルイン着信と第２のダイヤルイン着信を色等で識別表示させることができるため、内線電話機利用者の操作性低下も防止することができる。さらに、例えば、第１のダイヤルイン着信を、いわゆる代表番号として扱い、第２のダイヤルイン着信を部署毎の子番号着信として扱うことにより、少ない機能ボタン数で運用することができる。
【発明を実施するための最良の形態】
【００１０】  以下、本発明の実施形態について説明する。なお、以下の実施形態では、構内電話設備のうちボタン電話装置に適用した場合を例にあげ、ボタン電話装置としてボタン電話主装置と該ボタン電話主装置に接続された有線式ボタン電話機を例にあげて説明する。しかし、本発明はこれに限定されない。例えば、有線式ボタン電話機の代わりに無線式ボタン電話機を用いることができる。【００１１】  図１は、本発明に係るボタン電話装置を構成するボタン電話主装置１０と、ボタン電話機２０の構成概略図である。図２は、本発明に係るボタン電話主装置１０の中央制御部１１と、記憶部１６の機能ブロック図である。図３は、本発明に係るボタン電話主装置１０の中央制御部１１内の処理フローチャートである。【００１２】  まず、図１を用いてボタン電話装置を構成するボタン電話主装置１０と、ボタン電話機２０の構成の概要を説明する。ボタン電話装置は、１以上の外線および１以上の内線を収容するボタン電話主装置１０と、該ボタン電話主装置１０に接続された１以上のボタン電話機２０−１〜２０−ｎから構成される。【００１３】  ボタン電話主装置１０は、少なくとも、中央制御部１１と、通話路スイッチ１２と、１以上の外線回路１３−１〜１３−ｎと、モデム１４と、１以上の内線回路１５−１〜１５−ｎと、記憶部１６を有して構成される。【００１４】  中央制御部１１は、ボタン電話主装置１０の各回路からの入力情報（ボタン電話機２０からの情報も含む）に対する解析や判断、記憶部１６に対する情報の入出力、各回路の制御を行う。【００１５】  通話路スイッチ１２は、ボタン電話主装置１０内の交換処理（外線１３−１〜１３−ｎと内線１５−１〜１５−ｎの接続、モデム１４の外線１３−１〜１３−ｎへの接続、他）を行う。【００１６】  外線回路１３−１〜１３−ｎは、外線に接続されるインタフェース回路である。なお、本発明で開示している外線とは、一般公衆回線、ＩＰ電話事業者の回線、専用線、私設線、携帯電話等の無線使用回線（無線／有線変換アダプタ使用）、等も含まれる。また、本実施形態では、一般公衆回線のアナログ電話網の場合について説明する。【００１７】  モデム１４は、外線回路１３−１〜１３−ｎより外線着信時に送出されるダイヤルイン番号情報を受信するモデム回路である。なお、ダイヤルイン番号情報は、モデム回路を使用せず、ＰＢ信号（ＤＴＭＦ信号）で送信される利用方法もあるが、その説明は省略している。また、一般公衆回線のＩＳＤＮ回線の場合は、制御チャネルにて送信されるが、その説明についても省略している。【００１８】  内線回路１５−１〜１５−ｎは、ボタン電話機２０−１〜２０−ｎと音声データ、制御データの通信を行うためのインタフェース回路である。【００１９】  記憶部１６は、通常の記憶部としての働きの他に、第１のダイヤルイン着信番号情報に対応した第１のダイヤルイン番号対応機能ボタン（ボタン電話機２０の機能キー２７のうちダイヤルイン番号対応機能ボタンとして設定したＤＩキー２８をいう。以下同じ。）の設定情報、第２のダイヤルイン着信番号情報に対応した第１のダイヤルイン番号対応機能ボタンのうち１以上のダイヤルイン番号対応機能ボタン（以下、第２の���イヤルイン番号対応機能ボタンという。）の設定情報が記憶される。【００２０】  また、ボタン電話機２０は、少なくとも、制御部２１と、データ送受信回路２２と、音声処理部２３と、送受話器２４と、スピーカ２５と、ダイヤルキー２６と、機能キー２７と、ＤＩキー２８と、ＬＥＤ表示器２９と、ＬＣＤ表示器３０を有して構成される。【００２１】  制御部２１は、ボタン電話機２０内の各回路からの入力情報に対する解析や判断、各回路の制御を行う。【００２２】  データ送受信回路２２は、内線を介してボタン電話主装置１０と音声データ、制御データの通信を行うためのインタフェース回路である。【００２３】  音声処理部２３は、音声のデジタル／アナログ変換、アナログ／デジタル変換と、ボタン電話機２０内の送受話器２４やスピーカ２５等との通話パス切替および音量を制御する。【００２４】  送受話器２４は、一般的な通話時の送話、受話を行うためのハンドセットである。【００２５】  スピーカ２５は、ダイヤルイン着信音の送出や、スピーカによる拡声受話に使用する。【００２６】  ダイヤルキー２６は、電話番号を入力する手段であり、また、ボタン電話装置において一般的に用いられる各種設定の入力手段としても用いられる。【００２７】  機能キー２７は、複数備えられ、ボタン電話装置で一般的に使用する“保留”ボタン、“拡声受話”ボタン、“設定”ボタン等の入力手段であり、機能キーのうち、ダイヤルイン番号対応機能ボタンとして設定されたボタンも含まれるが、実施形態を明確にするためダイヤルイン番号対応機能ボタンとして設定されたボタンは、後述するようにＤＩキー２８とし区分して説明する。【００２８】  ＤＩキー２８は、機能キー２７のうち、ダイヤルイン番号対応機能ボタンとして設定された複数のボタンである。【００２９】  ＬＥＤ表示器２９は、ＤＩキー２８に対応して設けられる可視表示手段である。なお、本実施形態では、第１のダイヤルイン着信番号情報に対応した表示は“赤色”とし、第２のダイヤルイン着信番号情報に対応した識別表示は“緑色”として説明するが、色による識別ではなく、例えば、第１のダイヤルイン着信番号情報に対応した表示は“１２０ＩＮＴ”とし、第２のダイヤルイン着信番号情報に対応した識別表示は“２４０ＩＮＴ”として断続周期を変えることで識別しても良い。また、ＬＥＤ表示器２９への可視表示に変えて、ＬＣＤ表示器３０で識別表示する構成としても良い。【００３０】  ＬＣＤ表示器３０は、電話番号、通話時間等を表示する。【００３１】  次に、本発明に係るボタン電話主装置１０の中央制御部１１と、記憶部１６の機能構成を、図２を用いて説明する。ボタン電話主装置１０は、中央制御部１１が、少なくとも、外線回路制御手段Ｆ４０と、モデム制御手段Ｆ４１と、通話路制御手段Ｆ４２と、データ送受信手段Ｆ４３と、制御手段Ｆ４４と、表示制御手段Ｆ４５とを有し、記憶部１６に、少なくとも、第１のダイヤルイン番号対応機能ボタン情報Ｆ５０と、第２のダイヤルイン番号対応機能ボタン情報Ｆ５１とを有して構成される。【００３２】  外線回路制御手段Ｆ４０は、外線回路１３に対し外線発信、外線着信の制御を行い、外線着信を検出すると制御手段Ｆ４４に外線着信��通知する機能を有している。また、外線回路制御手段Ｆ４０は、制御手段Ｆ４４より外線着信への一次応答、受信完了、二次応答等の通知を受けると、外線回路１３を一次応答状態、受信完了による発呼者先掛け監視状態、通話状態等にする指示を出す機能を有している。【００３３】  モデム制御手段Ｆ４１は、モデム１４の制御を行い、ダイヤルイン回線への外線着信時に一次応答し、モデム１４がダイヤルイン番号情報を受信したことを検出すると、制御手段Ｆ４４へ通知する機能を有している。【００３４】  通話路制御手段Ｆ４２は、制御手段Ｆ４４より一次応答の通知を受けると、当該外線回路１３とモデム１４間の通話路を接続する指示を通話路スイッチ１２へ出す機能を有している。また、通話路制御手段Ｆ４２は、制御手段Ｆ４４より受信完了の通知を受けると、前記通話路を開放する指示を通話路スイッチ１２へ出す機能を有している。さらに、通話路制御手段Ｆ４２は、制御手段Ｆ４４より二次応答の通知を受けると、当該外線回路１３と、応答操作を行ったボタン電話機２０−１〜２０−ｎに対応する内線回路１５間の通話路を接続する指示を通話路スイッチ１２へ出す機能を有している。【００３５】  データ送受信手段Ｆ４３は、ボタン電話機２０より内線回路１５を経由して受信したデータを制御手段Ｆ４４へ通知する。また、データ送受信手段Ｆ４３は、制御手段Ｆ４３より通知されるボタン電話機２０内のＬＥＤ表示器２９への表示情報およびスピーカ２５への着信鳴動／着信鳴動停止情報を内線回路１５経由で送出する機能を有している。【００３６】  また、データ送受信手段Ｆ４３は、表示制御手段Ｆ４５より通知されるボタン電話機２０内のＬＥＤ表示器２９への表示情報およびスピーカ２５への着信鳴動情報を内線回路１５経由で送出する機能を有している。【００３７】  制御手段Ｆ４４は、外線回路制御手段Ｆ４０より外線着信の通知を受けると、当該外線回路１３が、ダイヤルイン回線に設定されているか否かを判定し（図示していない。）、ダイヤルイン回線に設定されていた場合は、外線回路制御手段Ｆ４０および通話路制御手段Ｆ４２へ一次応答を通知する機能を有している。【００３８】  また、制御手段Ｆ４４は、モデム制御手段Ｆ４１よりダイヤルイン番号情報の通知を受けると、当該ダイヤルイン番号情報は、第１のダイヤルイン着信番号情報であるか第２のダイヤルイン着信番号情報であるかの判定を行い、第１のダイヤルイン着信番号情報であった場合は、記憶部１６の第１のダイヤルイン番号対応機能ボタン情報Ｆ５０を参照し、該当する第１のダイヤルイン番号対応機能ボタンに対応するボタン電話機２０内のＬＥＤ表示器２９へ第１のダイヤルイン着信番号情報に対応した表示である“赤色”による点滅情報および着信鳴動情報をデータ送受信手段Ｆ４３へ通知すると共に、外線回路制御手段Ｆ４０および通話路制御手段Ｆ４２へ受信完了を通知する機能を有している。【００３９】  制御手段Ｆ４４は、当該ダイヤルイン番号情報が第２のダイヤルイン着信番号情報であった場合は、表示制御手段Ｆ４５へ通知する機能を有している。また、制御手段Ｆ４４は、データ送受信手段Ｆ４３より通知されたボタン電話機２０から受信したデータを分析し、ダイヤルイン着信への応答情報であった場合は、外線回路制御手段Ｆ４０および通話路制御手段Ｆ４２へ二次応答を通知すると共に、ボタン電話機２０内のスピーカ２５への着信鳴動情報の停止およびＬＥＤ表示器２９へ通話中に対応した表示である点灯情報をデータ送受信手段Ｆ４３へ通知する機能を有している。【００４０】  表示制御手段Ｆ４５は、制御手段Ｆ４４より通知を受けると、記憶部１６の第２のダイヤルイン番号対応機能ボタン情報Ｆ５１を参照し、該当する第２のダイヤルイン番号対応機能ボタンに対応するボタン電話機２０内のＬＥＤ表示器２９へ第２のダイヤルイン着信番号情報に対応した識別表示である“緑色”による点滅情報および着信鳴動情報をデータ送受信手段Ｆ４３へ通知すると共に、外線回路制御手段Ｆ４０および通話路制御手段Ｆ４２へ受信完了を通知する機能を有している。【００４１】  記憶部１６の第１のダイヤルイン番号対応機能ボタン情報Ｆ５０は、ボタン電話機２０−１〜２０−ｎ毎に備えられており、複数の機能キー２７各々に対応している。記憶内容としては、複数の機能キー２７各々が機能キー機能かＤＩキー機能かの情報を持ち。ＤＩキー機能（ダイヤルイン番号対応機能ボタンとして設定されたＤＩキー２８に相当。）に対応した情報としては、ダイヤルイン番号情報（通常は、電話番号の下４桁）が記憶されている。例えば、ＤＩキー機能に設定されたＤＩキー２７が８個（１〜８）であった場合、１〜４には、電話番号△△△△を登録し、５〜８には、電話番号××××を登録する。すなわち、第１のダイヤルイン番号対応機能ボタンは、ダイヤルイン番号情報毎に備えることができる。【００４２】  記憶部１６の第２のダイヤルイン番号対応機能ボタン情報Ｆ５１は、ボタン電話機２０−１〜２０−ｎ毎に備えられており、前述した複数のＤＩキー２８各々に対応している。記憶内容としては、第２のダイヤルイン番号情報（通常は、電話番号の下４桁）が記憶されている。例えば、前述したＤＩキー２７のうち、１〜４（第１のダイヤルイン番号情報として、電話番号△△△△を登録したキー）で、１〜２には、電話番号○○○○を登録し、３〜４には、電話番号◇◇◇◇を登録する。すなわち、第２のダイヤルイン番号対応機能ボタンは、ダイヤルイン番号情報毎に備えることができる。【００４３】  次に、図３を用いて、ボタン電話主装置１０の中央制御部１１内の制御手段Ｆ４４の一部と表示制御手段Ｆ４５の処理を説明する。図３は、制御手段Ｆ４４がモデム制御手段Ｆ４１よりダイヤルイン番号情報の通知を受けたところから開始している。なお、図３において、各ステップの順番は一例を示すものであり、要旨を変更しない範囲で任意に入れ替えても良い。【００４４】  まず、ダイヤルイン番号情報の通知を受けると、当該ダイヤルイン番号情報は、第１のダイヤルイン着信番号情報と一致するかを判定する（Ｓ６０）。第１のダイヤルイン着信番号情報ではない場合（Ｎｏ）は、第２のダイヤルイン着信番号情報と一致するかを判定する（Ｓ６１）。第２のダイヤルイン着信番号情報ではない場合（Ｎｏ）は、一般ダイヤルイン着信処理（公知）を行い（Ｓ６２）、処理を終了する。【００４５】  ステップＳ６０で、第１のダイヤルイン着信番号���報と一致した場合（Ｙｅｓ）は、記憶部１６の第１のダイヤルイン番号対応機能ボタン情報Ｆ５０を参照し（Ｓ６３）、当該機能ボタンは空いているかを判定する（Ｓ６４）。ここで、当該機能ボタンが複数設定されている場合は、順次空いているかを確認し、全て塞がっている場合に、Ｎｏと判定する処理を行っているが図示していない。ステップＳ６４で全て塞がっていた場合（Ｎｏ）は、処理を終了する。【００４６】  ステップＳ６４で、当該機能ボタンに空きがあった場合（Ｙｅｓ）は、当該機能ボタンに対応する表示手段であるＬＥＤ表示器２９へ“赤色”による点滅表示情報を送出し（Ｓ６５）、ステップＳ６９へ引き継ぐ。【００４７】  ステップＳ６１で、第２のダイヤルイン着信番号情報と一致した場合（Ｙｅｓ）は、記憶部１６の第２のダイヤルイン番号対応機能ボタン情報Ｆ５１を参照し（Ｓ６６）、当該機能ボタンは空いているかを判定する（Ｓ６７）。ここで、当該機能ボタンが複数設定されている場合は、順次空いているかを確認し、全て塞がっている場合に、Ｎｏと判定する処理を行っているが、図示していない。ステップＳ６７で全て塞がっていた場合（Ｎｏ）は、処理を終了する。【００４８】  ステップＳ６７で、当該機能ボタンに空きがあった場合（Ｙｅｓ）は、当該機能ボタンに対応する表示手段であるＬＥＤ表示器２９へ“緑色”による点滅表示情報を送出し（Ｓ６８）、ステップＳ６９へ引き継ぐ。【００４９】  ステップＳ６９では、スピーカ２５へ着信鳴動情報を送出し、ステップＳ７０へ引き継ぐ。ステップＳ７０では、外線回路制御手段Ｆ４０および通話路制御手段Ｆ４２へ受信完了を通知し、外線回路１３とモデム１４間の通話路の開放と、外線回路１３の直流回路を開き、受信完了による発呼者先掛け監視状態に移行させる。【００５０】  なお、ステップＳ６４およびＳ６７で、Ｎｏの場合は、受信完了を通知せず外線側に呼出ができないことを通知する。なお、この処理、および、その後の処理は公知であるため図示していない。【００５１】  ここで図面を用いた説明を終了するが、本発明の応用として、第２のダイヤルイン着信とは異なる番号情報を伴う第３のダイヤルイン着信が存在しているときに、第３のダイヤルイン着信を複数の第２のダイヤルイン番号対応機能ボタンのうち予め設定した１以上の第３のダイヤルイン番号対応機能ボタンに対応させ、当該第３のダイヤルイン着信の状態を当該第３のダイヤルイン番号対応機能ボタンの表示手段に表示させるように表示制御手段Ｆ４５を構成しても良い。同様に、第４、第５・・・第ｎと増加させる構成としても良い。
【図面の簡単な説明】
【００５２】
【図１】本発明に係るボタン電話装置を構成するボタン電話主装置１０と、ボタン電話機２０の構成概略図
【図２】本発明に係るボタン電話主装置１０の中央制御部１１と、記憶部１６の機能ブロック図
【図３】本発明に係るボタン電話主装置１０の中央制御部１１内の制御手段Ｆ４４の一部と表示制御手段Ｆ４５のフローチャート
【符号の説明】
【００５３】１０    ボタン電話主装置
１１    中央制御部
１２    通話路スイッチ
１３    外線回路
１４    モデム
１５    内線回路
１６    記憶部
２０    ボタン電話機
２１    制御部
２２    データ送受信回路
２３    音声処理部
２４    送受話器
２５    スピーカ
２６    ダイヤルキー
２７    機能キー
２８    ＤＩキー
２９    ＬＥＤ表示器
３０    ＬＣＤ表示器
Ｆ４０  外線回路制御手段
Ｆ４１  モデム制御手段
Ｆ４２  通話路制御手段
Ｆ４３  データ送受信手段
Ｆ４４  制御手段
Ｆ４５  表示制御手段
Ｆ５０  第１のダイヤルイン番号対応機能ボタン情報
Ｆ５１  第２のダイヤルイン番号対応機能ボタン情報
【図１】
2006081133.tif 000003
【図２】
2006081133.tif 000004
【図３】
2006081133.tif 000005